(57)【要約】【課題】洗濯物の乾燥などを効率よく行うため、家屋などの施設に設置される、覆いなどの遮蔽物の遮蔽度合いをいっそう最適なものとする技術を提供する。【解決手段】遮蔽制御システム１において、指令送信サーバ１０は、メッシュデータなど一定間隔ごとの領域の天気情報を天気情報配信サーバ２０から取得し、遮蔽物開閉装置４０の設置箇所の位置情報に基づいて、メッシュデータの１または複数の領域を特定し、特定される領域の天気情報に基づいて、覆い４１による遮蔽度合いを決定する。遮蔽物開閉装置４０は、ユーザの施設に設置され、指令送信サーバ１０が決定した遮蔽度合いの情報に従って、覆い４１を駆動させる。【選択図】図１
2017170100.tif 000002
【特許請求の範囲】
【請求項１】
遮蔽物による遮蔽度合いを駆動制御する遮蔽制御システムであって、
一定間隔ごとに区切られた領域の天気情報を取得するように構成された取得手段と、
前記遮蔽物を設置する設置箇所の位置情報に基づいて１または複数の領域を特定し、特定される領域の天気情報に基づいて、前記遮蔽物による遮蔽度合いを決定するように構成された決定手段と、
前記決定手段による決定の結果に従って、前記遮蔽物を駆動させるように構成された駆動制御手段とを備える、遮蔽制御システム。
【請求項２】
前記決定手段が前記決定をすることには、前記遮蔽物を設置する設置箇所の位置を含む領域の天気情報に少なくとも基づいて、前記遮蔽物による遮蔽度合いを決定することが含まれる、請求項１に記載の遮蔽制御システム。
【請求項３】
前記取得手段が取得する前記天気情報には、予め定められた予測時刻における、各領域の降雨の量を予測した降雨予測情報が含まれており、
前記決定手段が前記決定をすることには、前記特定される１または複数の領域の降雨の量が、予め定められた一定量以上である場合に、前記遮蔽物により遮蔽することを決定することが含まれる、請求項１または２に記載の遮蔽制御システム。
【請求項４】
前記取得手段が前記一定間隔ごとに区切られた領域の天気情報を取得することには、天気情報のメッシュデータを配信する配信サーバにアクセスし、前記配信サーバから前記天気情報のメッシュデータを受信することが含まれ、
前記決定手段が前記遮蔽度合いを決定することには、前記特定される１または複数の領域について前記配信サーバから取得した前記天気情報のメッシュデータに基づいて、前記遮蔽度合いを決定することが含まれる、請求項１から３のいずれか１項に記載の遮蔽制御システム。
【請求項５】
前記取得手段が取得する前記天気情報には、前記天気情報によって予測される天候の予測時間間隔と比較して突発的に発生する気象情報が含まれており、
前記決定手段が前記決定をすることには、前記突発的に発生する気象情報を前記天気情報として取得した場合に、当該気象情報に示される範囲から一定距離内に前記遮蔽物が設置されているときに前記気象情報に基づいて前記遮蔽物による遮蔽度合いを決定することが含まれる、請求項１から４のいずれか１項に記載の遮蔽制御システム。
【請求項６】
前記遮蔽制御システムは、前記遮蔽物として、覆いの開閉駆動を制御するように構成されており、
前記決定手段が前記決定をすることには、前記覆いを設置する設置箇所の位置情報に基づいて１または複数の領域を特定し、特定される領域の天気情報に基づいて、前記覆いの開閉状態を決定することが含まれており、
前記駆動制御手段が前記遮蔽物による遮蔽度合いを制御することには、前記決定手段による決定の結果に従って、前記覆いの開閉を制御することが含まれる、請求項１から５のいずれか１項に記載の遮蔽制御システム。
【請求項７】
外部の通信機器と通信することにより、遮蔽物による遮蔽を駆動制御するように構成された制御装置であって、
外部の通信機器と通信するように構成された通信部と、
前記制御装置の動作を制御するように構成された制御部とを備え、
前記制御部は、
前記外部の通信機器が、前記遮蔽物を設置する設置箇所の位置情報に基づいて、一定間隔ごとに区切られた領域から１または複数の領域を特定し、特定される領域の天気情報に基づいて決定した前記遮蔽物の遮蔽度合いの情報を、前記外部の通信機器との通信により取得する取得部と、
前記取得部により取得される前記遮蔽物の遮蔽度合いの情報に従って、前記遮蔽物を駆動させる駆動制御部とを含む、制御装置。
【請求項８】
遮蔽物による遮蔽を駆動制御する制御装置に対し、遮蔽の指令を送信するように構成された指令装置であって、
前記制御装置と通信するように構成された通信部と、
前記指令装置の動作を制御するように構成された制御部とを備え、
前記制御部は、
一定間隔ごとに区切られた各領域の天気情報を取得する取得部と、
前記遮蔽物を設置する設置箇所の位置情報に基づいて１または複数の領域を特定し、特定される領域の天気情報に基づいて、前記遮蔽物の遮蔽度合いを決定し、決定された前記遮蔽物の遮蔽度合いの情報を前記制御装置へ送信する送信部とを含む、指令装置。
【発明の詳細な説明】
【技術分野】
【０００１】  本開示は、遮蔽物による遮蔽の度合いを、ユーザにとって最適なものとするための技術に関する。
【背景技術】
【０００２】  施設に備え付けられる部屋、ベランダなどの様々な設備に対して、覆い、屋根などの遮蔽物による遮蔽の度合いを、ユーザにとって最適なものとすることが望まれている。例えば、日光の入射は、日常生活の品質に大きく影響するためである。例えば、部屋内に日光を採り入れることで、部屋内の明るさが変化するため、電気料金などエネルギー使用量を変動させ、また、日光による安らぎなどを感じうる。また、例えば、ベランダに洗濯物を干し、日光によって乾燥させることなどが行われている。日光によって洗濯物を乾燥させると、洗濯物の乾きがよいだけでなく、乾燥機を使用する場合の電気料金を不要にすることもでき、ユーザにとって利点が大きい。【０００３】  しかし、天候は常に変動するものであるため、降雨などがあると、洗濯物が乾きにくくなる。洗濯物を乾燥させたいユーザの利便性を高めるため、様々な技術が検討されている。例えば、特開２００４−１１３３７９号公報（特許文献１）には、洗濯物をベランダや物干し等の戸外で外気にさらして乾燥させる場合に、ユーザが風雨等の天候を気にせず安心して外出することができる技術について記載されている。特許文献１の技術によると、ベランダに干した洗濯物を降雨から守ることにより、最良の状態で洗濯物を干すことができ、ユーザが安心して外出することができる技術が記載されている。
【先行技術文献】
【特許文献】
【特許文献１】特開２００４−１１３３７９号公報
【０００４】  特許文献１によると、具体的には、ベランダに設置された降水計と、ベランダに設置された風向風力計と、ベランダの天候状態を観察するためのカメラとからシステムが構成されている。処理装置が、雨量、風速、予測された天気情報をもとに、覆いの開閉を制御する。これにより、処理装置は、ベランダに設置された洗濯物を、覆いによって覆うか否かを制御する。
【発明の概要】
【発明が解決しようとする課題】
【０００５】  特許文献１の技術によると、天気予測システムにアクセスして、地域情報を指定して天気予報情報を取得し、取得した天気予報情報に基づいて屋根を開閉させている。特許文献１の技術では、地域情報として、例えば、地域情報「東京都港区三田」のように、市区町村を単位とした範囲が指定されている。このように、特許文献１には、地域情報として指定される地域の範囲が、ユーザの家の所在範囲と比べて非常に広範囲にわたるものが想定されている。【０００６】  そのため、天気予報情報が示す天候の状態と、ユーザの家の所在地における天候の状態との差異が大きくなるおそれがある。例えば、ユーザのベランダでは日光が入射しているにもかかわらず、処理装置が、天気予報情報に基づいて、洗濯物を覆うよう覆いの開閉を制御してしまい、洗濯物の乾きが遅れるおそれがある。また、これら天気予報情報の配信間隔が、例えば６時間程度の比較的長期間の間隔である場合、いわゆるゲリラ豪雨などの突発的な変動には対処することが困難となる。【０００７】  したがって、遮蔽物の遮蔽度合いを、ユーザにとって最適なものとする別の技術が必要とされている。本開示は、遮蔽物の遮蔽度合いをいっそう最適化した技術を提供することを目的としている。
【課題を解決するための手段】
【０００８】  一実施形態に従うと、遮蔽物による遮蔽度合いを駆動制御する遮蔽制御システムが提供される。遮蔽制御システムは、一定間隔ごとに区切られた領域の天気情報を取得するように構成された取得手段と、遮蔽物を設置する設置箇所の位置情報に基づいて１または複数の領域を特定し、特定される領域の天気情報に基づいて、遮蔽物による遮蔽度合いを決定するように構成された決定手段と、決定手段による決定の結果に従って、遮蔽物を駆動させるように構成された駆動制御手段とを備える。【０００９】  別の実施形態に従うと、外部の通信機器と通信することにより、遮蔽物による遮蔽を駆動制御するように構成された制御装置が提供される。制御装置は、外部の通信機器と通信するように構成された通信部と、制御装置の動作を制御するように構成された制御部とを備える。制御部は、外部の通信機器が、遮蔽物を設置する設置箇所の位置情報に基づいて、一定間隔ごとに区切られた領域から１または複数の領域を特定し、特定される領域の天気情報に基づいて決定した遮蔽物の遮蔽度合いの情報を、外部の通信機器との通信により取得する取得部と、取得部により取得される遮蔽物の遮蔽度合いの情報に従って、遮蔽物を駆動させる駆動制御部とを含む。【００１０】  別の実施形態に従うと、遮蔽物による遮蔽度合いを制御する制御装置に対し、遮蔽の指令を送信するように構成された指令装置が提供される。指令装置は、制御装置と通信するように構成された通信部と、サーバ装置の動作を制御するように構成された制御部とを備える。制御部は、一定間隔ごとに区切られた各領域の天気情報を取得する取得部と、遮蔽物を設置する設置箇所の位置情報に基づいて１または複数の領域を特定し、特定される領域の天気情報に基づいて、遮蔽物の遮蔽度合いを決定し、決定された遮蔽物の遮蔽度合いの情報を制御装置へ送信する送信部とを含む。
【発明の効果】
【００１１】  一実施形態によると、例えばメッシュデータとして提供される、一定間隔で区切られた各領域の天気情報を取得して、遮蔽物の設置箇所の位置に応じて１または複数の領域を特定し、特定した領域の天気情報に基づいて遮蔽物の遮蔽度合いを決定している。そのため、市区町村を対象とするような、広範な地域の天気情報に基づいて遮蔽物の遮蔽度合いを決定する場合と比較して、実際の遮蔽物の設置箇所の位置に近い天気情報に基づいて遮蔽物の遮蔽度合いを制御することとなるため、設備に対する日射量を、より最適なものとすることができる。この結果、ユーザにとっては、洗濯物がより早く乾く等の利点がある。【００１２】  この発明の上記および他の目的、特徴、局面および利点は、添付の図面と関連して理解されるこの発明に関する次の詳細な説明から明らかとなるであろう。
【図面の簡単な説明】
【図１】実施の形態１の遮蔽制御システム１の構成を示す図である。
【図２】指令送信サーバ１０の構成を示すブロック図である。
【図３】遮蔽指令用管理パネル７０の構成を示すブロック図である。
【図４】メッシュデータとして天気情報配信サーバ２０から配信される天気情報を示す図である。
【図５】指令送信サーバ１０が、メッシュデータに含まれる各領域を、遮蔽物開閉装置４０が設置される位置の情報に基づいて特定する処理を示す図である。
【図６】指令送信サーバ１０に記憶される遮蔽度合い管理情報１５１のデータ構造を示す図である。
【図７】指令送信サーバ１０が、特定された領域の天気情報と比較するための比較条件を示す図である。
【図８】指令送信サーバ１０が、ユーザの施設それぞれに設置される遮蔽物開閉装置４０の遮蔽度合いを決定し、決定した遮蔽度合いの情報を、各ユーザの遮蔽指令用管理パネル７０へ送信する処理を示すフローチャートである。
【図９】遮蔽指令用管理パネル７０が、指令送信サーバ１０から遮蔽度合いの情報を受信して、受信した情報に従って遮蔽物開閉装置４０の遮蔽を駆動させる処理を示すフローチャートである。
【図１０】実施の形態２の遮蔽制御システム２の構成を示す図である。
【図１１】実施の形態２の遮蔽指令用管理パネル７０の構成を示すブロック図である。
【発明を実施するための形態】
【００１３】  以下、図面を参照しつつ、本発明の実施の形態について説明する。以下の説明では、同一の部品には同一の符号を付してある。それらの名称および機能も同じである。したがって、それらについての詳細な説明は繰り返さない。
【００１４】  ＜実施の形態１＞
図１は、実施の形態１の遮蔽制御システム１の構成を示す図である。図１に示すように、遮蔽制御システム１は、指令送信サーバ１０と、天気情報配信サーバ２０と、遮蔽物開閉装置４０とを含み、これらの装置がネットワーク８０によって互いに通信可能に接続されている。図１に示すように、ユーザの施設は、遮蔽物開閉装置４０と、気象センサ装置５０と、遮蔽指令用管理パネル７０とを含む。遮蔽物開閉装置４０は、覆い４１と、制御装置４２とを含む。
【００１５】  天気情報配信サーバ２０は、例えば、ＡＰＩ（Ａｐｐｌｉｃａｔｉｏｎ  Ｐｒｏｇｒａｍｍｉｎｇ  Ｉｎｔｅｒｆａｃｅ）などを提供することで外部の通信機器へ気象データなどの天気に関する情報（天気情報）を提供するためのサーバである。天気情報配信サーバ２０は、公的な機関が提供する気象データまたは事業者等が独自に予測した気象データやセンサーによる気象データを逐次取得して蓄積しておき、外部の通信機器に対し、気象データをＡＰＩにより提供する。天気情報配信サーバ２０は、例えば、一般財団法人  気象業務支援センターなどのように、気象庁などの公的な機関が保有する各種の気象データを民間気象事業者等に配信する事業者のサーバと通信することにより、気象データを蓄積する。このようにして取得される気象データは、例えば、２５０メートル間隔の各領域のメッシュデータを含む。メッシュデータは、降雨予測のデータを含む。メッシュデータは、例えば、降雨予測のデータとして、３０分先までの５分ごとの降水予測のデータ（予測される降雨の量など）を含む。また、メッシュデータは、例えば、３０分先から６０分先までは１キロメートル間隔の各領域の気象データを含む。これら気象データは、公的な機関として、気象庁のレーダにより測定されるデータ、国土交通省により提供されるデータ（例えば、国土交通省によるＸバンドＭＰレーダ雨量情報などの、局所的な雨量をリアルタイムに観測するシステムによる情報）を含みうる。また、メッシュデータは、各領域の風向きの方向及び風向きの強さの情報を含みうる。天気情報配信サーバ２０は、メッシュデータに示される各領域の降雨について予測したデータを提供するＡＰＩ、日の出時刻と日の入り時刻を提供するＡＰＩなどを提供する。また、天気情報配信サーバ２０が提供する天気情報は、全国の気象台、アメダス等の観測地点、および、気象衛星の観測データ等に基づいて、気温および天気の面的な分布を推計した推計気象分布のデータを提供する。
【００１６】  指令送信サーバ１０は、ユーザの施設に設置される遮蔽指令用管理パネル７０に対し、天気情報配信サーバ２０から提供される気象データのメッシュデータに基づいて、遮蔽物の遮蔽度合いを指令するためのサーバである。遮蔽指令用管理パネル７０は、遮蔽物の遮蔽度合いの情報を指令送信サーバ１０から受信して、受信した遮蔽度合いの情報に基づいて、遮蔽物開閉装置４０の覆い４１の開閉を制御する。図１に示す例では、ユーザの施設を１つ図示しており、指令送信サーバ１０または遮蔽指令用管理パネル７０が遮蔽物開閉装置４０の覆い４１の開閉を制御しているが、制御対象の遮蔽物開閉装置４０は１つに限らず、複数の遮蔽物開閉装置４０を制御対象としてもよい。
【００１７】  遮蔽物開閉装置４０は、覆い４１の駆動を制御することで、遮蔽物の遮蔽度合いを制御するための装置である。例えば、ユーザの施設が一軒家などである場合は、ユーザの家屋に遮蔽物開閉装置４０が設置される。遮蔽物開閉装置４０は、覆い４１と、覆い４１をモータ等により駆動させて開閉制御をするための制御装置４２とを含む。遮蔽物開閉装置４０は、ＧＰＳ（Ｇｌｏｂａｌ  Ｐｏｓｉｔｉｏｎｉｎｇ  Ｓｙｓｔｅｍ）モジュールを備えており、ＧＰＳ衛星９０からの信号を受信して、遮蔽物開閉装置４０が設置されるユーザの施設の位置を測位する。
【００１８】  遮蔽物開閉装置４０は、遮蔽物として覆い４１を含み、覆い４１を開閉させるための駆動機構として制御装置４２を有する。例えば、覆い４１が布状の部材である場合、遮蔽物開閉装置４０は、布状の部材である覆い４１を開閉させるためのロールの回転を制御することで、覆い４１によって、設備への降雨を遮るように覆わせ（閉状態）、日光を入射させるために覆い４１を収納する（開状態）。また、覆い４１として、長辺方向を軸として回転可能な板状の部材を並列に配置したものを利用することもできる。この場合、遮蔽物開閉装置４０は、制御装置４２の制御に従って、板状の部材の回転角度を制御することで、降雨を遮るように施設を覆い、日光を施設に入射させるようにすることができる。遮蔽物開閉装置４０は、制御装置４２と通信接続し、制御装置４２から、覆い４１の遮蔽度合いの情報を受信して、遮蔽度合いの情報に応じて、覆い４１を開閉させる。例えば、遮蔽物開閉装置４０は、制御装置４２から、遮蔽物の開閉度合いとして、覆い４１を１００％閉じることを示す情報を受信した場合、受信した情報に従って、覆い４１によって設備を覆う。
【００１９】  気象センサ装置５０は、ユーザの施設に設置されるセンサ装置であり、例えば、施設の屋外に設置されることにより、各種のデータを計測する。気象センサ装置５０は、風力を計測するための風力センサ、雨量を計測するための雨量センサ、紫外線の照射量を計測するための紫外線センサ、気温を計測するための気温センサ、湿度を計測するための湿度センサ、日光による照度を計測するための照度センサ、振動を計測するための振動センサなどを含む。気象センサ装置５０は、Ｂｌｕｅｔｏｏｔｈ（登録商標）などの通信規格に従って、指令送信サーバ１０、遮蔽指令用管理パネル７０等の装置と通信接続し、各種センサの計測値を、これらの装置へ送信する。
【００２０】  遮蔽指令用管理パネル７０は、ユーザの施設に設置され、指令送信サーバ１０、気象センサ装置５０等の装置と通信することにより、気象データ、気象センサ装置５０の計測結果、遮蔽物開閉装置４０による覆い４１の開閉状況などの各種の情報をディスプレイに表示する。遮蔽指令用管理パネル７０は、遮蔽物開閉装置４０の覆い４１の開閉を制御するための信号を遮蔽物開閉装置４０へ送信する。遮蔽指令用管理パネル７０は、例えば、リビングルームなどユーザの閲覧および操作が容易な施設に設置される。遮蔽指令用管理パネル７０は、ユーザの入力操作を受け付けるための、タッチパネルなどの入力装置を備える。遮蔽指令用管理パネル７０は、例えば、遮蔽物開閉装置４０における覆い４１の開閉制御を有効にするか無効にするかの操作、覆い４１によって施設を覆うための閾値の設定（例えば、メッシュデータの各領域の降雨の確率と比較される閾値の設定）その他の入力操作をユーザから受け付ける。遮蔽指令用管理パネル７０は、ユーザから、覆い４１の開閉を制御する操作を受け付けた場合、メッシュデータに基づいて決定した遮蔽度合いよりもユーザの入力内容（例えば、晴れ間を確認したユーザが覆い４１を収納する入力操作を行った場合などがある）を優先して、遮蔽物開閉装置４０に対して覆い４１の開閉を制御する信号を送信する。
【００２１】  携帯端末３０は、ユーザが使用する端末であり、例えばスマートフォン、タブレット、ラップトップ型ＰＣ（Ｐｅｒｓｏｎａｌ  Ｃｏｍｐｕｔｅｒ）などである。携帯端末３０は、移動体通信システムに対応しており、ＬＴＥ（Ｌｏｎｇ  Ｔｅｒｍ  Ｅｖｏｌｕｔｉｏｎ）などの規格に従って、無線基地局８１を介してネットワーク８０と接続する。携帯端末３０は、遮蔽指令用管理パネル７０等の装置と通信することにより、気象データ、気象センサ装置５０の計測結果、遮蔽物開閉装置４０による覆い４１の開閉状況などの各種の情報をディスプレイに表示する。また、携帯端末３０は、ユーザの入力操作を受け付けて、遮蔽物開閉装置４０における覆い４１の開閉制御のための各種の設定操作を受け付ける。例えば、ユーザが施設にいない場合においても、携帯端末３０が、遮蔽物開閉装置４０の覆い４１の開閉をさせる入力操作をユーザから受け付けることで、覆い４１の開閉をユーザが遠隔操作することができる。
【００２２】    ＜Ａ．構成＞
図２と図３とを参照して、遮蔽制御システム１に含まれる指令送信サーバ１０および遮蔽指令用管理パネル７０の構成を説明する。
【００２３】  図２は、指令送信サーバ１０の構成を示すブロック図である。図２に示すように、指令送信サーバ１０は、通信部１１０と、記憶部１５０と、制御部１８０とを含む。
通信部１１０は、指令送信サーバ１０が他の通信機器と通信するため、信号を送受信するための変復調処理などを行う通信インタフェースである。指令送信サーバ１０は、天気情報配信サーバ２０から、気象データのメッシュデータを逐次取得して蓄積する。指令送信サーバ１０は、遮蔽物開閉装置４０を駆動させるための遮蔽度合いを決定し、決定した遮蔽度合いの情報を遮蔽度合い管理情報１５１として記憶し、遮蔽度合いの情報を遮蔽指令用管理パネル７０へ送信する。また、指令送信サーバ１０は、遮蔽指令用管理パネル７０から、ユーザの操作履歴（例えば、覆い４１の開閉をユーザが手動で入力した履歴など）を受信して、ユーザ操作履歴情報１５３として記憶する。指令送信サーバ１０は、気象センサ装置５０と通信し、気象センサ装置５０の各種センサ装置の計測結果を受信してセンサ計測履歴情報１５２として記憶する。
【００２４】  記憶部１５０は、フラッシュメモリ（例えば、ＳＳＤ（Ｓｏｌｉｄ  Ｓｔａｔｅ  Ｄｒｉｖｅ）等として実現してもよい）、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）等により構成され、指令送信サーバ１０が使用するプログラムを記憶し、指令送信サーバ１０が使用する各種のデータを蓄積する。ある局面において、記憶部１５０は、遮蔽度合い管理情報１５１と、センサ計測履歴情報１５２と、ユーザ操作履歴情報１５３とを記憶する。
【００２５】  遮蔽度合い管理情報１５１は、指令送信サーバ１０が、遮蔽物開閉装置４０を設置する設置個所の位置情報に基づいて、メッシュデータに含まれる各領域のうち１または複数の領域を特定し、特定される領域の天気情報に基づいて、遮蔽物（覆い４１）による遮蔽度合いを決定した履歴を示す。
【００２６】  センサ計測履歴情報１５２は、遮蔽物開閉装置４０の設置個所に応じて設置される気象センサ装置５０の各種センサ装置の計測結果の履歴を示す。
【００２７】  ユーザ操作履歴情報１５３は、制御装置４２が、携帯端末３０または遮蔽指令用管理パネル７０等の装置を介してユーザから受け付けた操作内容の履歴を示す。
制御部１８０は、記憶部１５０に記憶される制御プログラムを読み込んで実行することにより、指令送信サーバ１０の動作を制御する。制御部１８０は、例えば、１または複数のプロセッサによって実現される。制御部１８０は、プログラムに従って動作することにより、天気情報取得部１８１と、遮蔽度合い決定部１８２と、遮蔽指令送信部１８３としての機能を指令送信サーバ１０に発揮させる。
【００２８】  天気情報取得部１８１は、指令送信サーバ１０が天気情報配信サーバ２０と通信することにより、一定間隔ごとの各領域の天気情報（気象データのメッシュデータ）を取得する処理を制御する。
【００２９】  遮蔽度合い決定部１８２は、遮蔽物開閉装置４０を設置する設置個所の位置情報に基づいて、メッシュデータとして提供される天気情報に含まれる１または複数の領域を特定し、特定される領域の天気情報（予測される降雨量など）に基づいて、遮蔽物開閉装置４０による遮蔽度合い（覆い４１によってどの程度遮蔽するか）を決定する。遮蔽度合い決定部１８２は、例えば、天気情報配信サーバ２０が気象データのメッシュデータを配信する都度（メッシュデータの配信間隔）、遮蔽物開閉装置４０による遮蔽度合いを決定し、決定した遮蔽度合いの情報の履歴を遮蔽度合い管理情報１５１として記憶部１５０に記憶させる。
【００３０】  遮蔽度合い決定部１８２は、遮蔽度合いを決定するために、例えば、遮蔽物開閉装置４０を設置する設置個所の位置を、遮蔽物開閉装置４０から受信する。遮蔽度合い決定部１８２は、受信した遮蔽物開閉装置４０の位置を含む領域を、天気情報配信サーバ２０から取得する気象データのメッシュデータから特定し、少なくとも特定された領域の天気情報に基づいて、遮蔽物開閉装置４０による遮蔽度合いを決定する。
【００３１】  また、遮蔽度合い決定部１８２は、天気情報配信サーバ２０から取得する気象データのメッシュデータに含まれる各領域の風向きの情報を参照することにより、遮蔽度合いを決定するための領域を特定することとしてもよい。遮蔽度合い決定部１８２は、遮蔽物開閉装置４０の設置個所の位置情報と、遮蔽物開閉装置４０を設置する設置個所における風向きの方向及び風向きの強さの情報に基づいて、メッシュデータの領域を特定し、特定される領域の天気情報に基づいて、遮蔽物開閉装置４０による遮蔽度合いを決定する。遮蔽度合い決定部１８２は、例えば、風向きの方向に従って、遮蔽物開閉装置４０の設置個所を含む領域と、この領域の周囲の領域を特定することとしてもよい。
【００３２】  遮蔽度合い決定部１８２は、遮蔽度合いを決定するために、メッシュデータに含まれる１または複数の領域を特定し、特定した領域において予測される、一定時間後の降雨の量の情報に基づいて、遮蔽物開閉装置４０による遮蔽度合いを決定する。遮蔽度合い決定部１８２は、例えば、特定した領域において予測される降雨の量が、閾値（ユーザが設定可能な閾値）を超える場合に、遮蔽物開閉装置４０を閉じて覆い４１によって設備を覆うよう遮蔽度合いを決定する。具体的には、遮蔽度合い決定部１８２は、降雨が予測される時間に応して、例えば、３０分以内など一定時間以内に降雨の量が一定量以上と予測される場合に、遮蔽物開閉装置４０によって設備を遮蔽するよう遮蔽度合いを決定する。また、例えば、遮蔽度合い決定部１８２は、気象センサ装置５０によって計測される各種センサ装置の計測値が、予め定めた閾値を超えた場合に、遮蔽物開閉装置４０によって設備を遮蔽するよう遮蔽度合いを決定する。また、例えば、気象センサ装置５０によって風速を観測し、遮蔽物開閉装置４０の設置飼所における風速が一定以上（例えば、風速１０メートル／秒などの強風時）の場合は、覆い４１を収納することで安全性をいっそう高められるため、覆い４１によって設備を覆わないように遮蔽度合いを決定する。
【００３３】  また、遮蔽度合い決定部１８２は、天気情報配信サーバ２０から取得する気象データに含まれる、突発的に発生する気象情報を参照することで、遮蔽度合いを決定することとしてもよい。例えば、遮蔽度合い決定部１８２は、天気情報配信サーバ２０から取得する気象データのうち、いわゆるゲリラ豪雨、竜巻情報など、天気情報によって予測される天候の予測時間間隔（例えば、天気情報に、数時間先の天候が予測されている）と比較して突発的に発生する気象情報を取得した場合に、これら突発的な気象情報に示される領域から一定範囲内に遮蔽物開閉装置４０が設置されている場合は、突発的に発生する気象情報に基づいて、これら遮蔽物開閉装置４０による遮蔽度合いを決定する。遮蔽度合い決定部１８２は、例えば、ゲリラ豪雨が発生することが予測される場合、および、ゲリラ豪雨が発生していることが観測されている場合に、ゲリラ豪雨が通過する各領域の遮蔽物によって設備を覆うよう、遮蔽度合いを決定する。また、遮蔽度合い決定部１８２は、例えば、竜巻が発生することが予測される場合、および、竜巻が発生していることが観測されている場合に、竜巻が通過すると予測される各領域の遮蔽物を収納することで安全性をいっそう高めるよう、遮蔽度合いを決定する。
【００３４】  遮蔽指令送信部１８３は、遮蔽物開閉装置４０の設置個所それぞれの制御装置４２に対して、遮蔽度合い決定部１８２で決定した、遮蔽物開閉装置４０の設置個所それぞれの遮蔽度合いの情報を送信する。
【００３５】  図３は、遮蔽指令用管理パネル７０の構成を示すブロック図である。図３に示すように、遮蔽指令用管理パネル７０は、通信部７１０と、記憶部７５０と、制御部７８０とを含む。
【００３６】  通信部７１０は、遮蔽指令用管理パネル７０が他の通信機器と通信するため、信号を送受信するための変復調処理などを行う通信インタフェースである。
【００３７】  記憶部７５０は、フラッシュメモリ、ＨＤＤ、ＲＡＭ等により構成され、遮蔽指令用管理パネル７０が使用するプログラムを記憶し、遮蔽指令用管理パネル７０が使用する各種のデータを蓄積する。ある局面において、記憶部７５０は、遮蔽指令情報７５１と、遮蔽時間設定７５２とを記憶する。
【００３８】  遮蔽指令情報７５１は、遮蔽指令用管理パネル７０が指令送信サーバ１０から受信する、各時刻における遮蔽物開閉装置４０の遮蔽度合いを示す。
【００３９】  遮蔽時刻設定７５２は、遮蔽指令用管理パネル７０が遮蔽物開閉装置４０の遮蔽度合いの制御をする時間帯の設定を示す。例えば、洗濯物の乾燥をするために、日光が照射している場合は遮蔽物開閉装置４０の覆い４１を収納し、降雨が予測される場合に覆い４１によって設備を覆う場合は、日の出時刻から日の入り時刻までの間で遮蔽物開閉装置４０の遮蔽度合いの制御をすればよい。
【００４０】  制御部７８０は、記憶部７５０に記憶される制御プログラムを読み込んで実行することにより、遮蔽指令用管理パネル７０の動作を制御する。制御部７５０は、例えば、１または複数のプロセッサによって実現される。制御部７５０は、プログラムに従って動作することにより、遮蔽度合い取得部７８１と、覆い駆動制御部７８２と、表示制御部７８３と、操作受付部７８４としての機能を遮蔽指令用管理パネル７０に発揮させる。
【００４１】  遮蔽度合い取得部７８１は、遮蔽指令用管理パネル７０が指令送信サーバ１０と通信することにより、指令送信サーバ１０から、遮蔽物開閉装置４０の遮蔽度合いを示す情報を受信して、受信した情報を遮蔽指令情報７５１として記憶部７５０に記憶させる。
覆い駆動制御部７８２は、遮蔽指令情報７５１を参照することにより、各時刻における遮蔽物開閉装置４０の遮蔽度合いに従って、遮蔽物開閉装置４０に、覆い４１の開閉を行わせる。
【００４２】  表示制御部７８３は、指令送信サーバ１０から受信する遮蔽度合いの情報、気象センサ装置５０の各種センサ装置の情報など遮蔽指令用管理パネル７０が管理する各種の情報を、遮蔽指令用管理パネル７０のディスプレイ（図示していない）に表示する処理を行う。また、表示制御部７８３は、各種の情報を、携帯端末３０などディスプレイを備える装置に送信することで、これらの装置のディスプレイに情報を表示させる処理を行う。
【００４３】  操作受付部７８４は、タッチパネル（図示していない）などの入力装置を介して遮蔽指令用管理パネル７０がユーザから入力操作を受け付ける処理を行う。また、操作受付部７８４は、携帯端末３０などのユーザの操作を受け付ける装置と遮蔽指令用管理パネル７０とが通信することにより、携帯端末３０などの装置を介してユーザの操作を受け付ける。遮蔽指令用管理パネル７０は、例えば、予測される降雨の量と比較するための閾値の設定、遮蔽物開閉装置４０による遮蔽制御を行う時間帯の設定、遮蔽物開閉装置４０の覆い４１をユーザが手動で開閉させる操作など各種の操作をユーザから受け付ける。
【００４４】  図４は、メッシュデータとして天気情報配信サーバ２０から配信される天気情報を示す図である。図４の概念図（Ａ）は、メッシュデータとして天気情報が配信されるグリッド上の領域を示す。天気情報配信サーバ２０は、例えば、１ｋｍ四方の領域と、１０ｋｍ四方の領域とについて、天気情報を一定の時間間隔で配信する。配信内容（Ｂ）に示すように、天気情報配信サーバ２０は、例えば、１ｋｍ四方の領域について、一時間に１回、気象要素「気温」については、マイナス５０度からプラス５０度まで、５度間隔で、天気情報を配信する。天気情報は、例えば複数の観測点の観測値に基づき、各領域からの距離の重みづけを行って得られた推計値を含む（推計気象分布）。
【００４５】  ここで、指令送信サーバ１０の遮蔽度合い決定部１８２が、遮蔽度合いを決定するために、メッシュデータに含まれる領域を特定する処理について詳しく説明する。
【００４６】  図５は、指令送信サーバ１０が、メッシュデータに含まれる領域を、遮蔽物開閉装置４０が設置される位置の情報に基づいて特定する処理を示す図である。
【００４７】  図５は、遮蔽度合い決定部１８２が、遮蔽物開閉装置４０を設置する設置個所の位置情報に基づいて、遮蔽物開閉装置４０の設置位置を含む領域を、メッシュデータから特定する処理を示す。図５において、メッシュデータは、例えば１キロメートル間隔の各領域（図５の例では、メッシュデータに含まれる各領域として、領域Ｄ［１１］〜領域Ｄ［４７］を示す）の天気情報を含む。遮蔽度合い決定部１８２は、遮蔽物開閉装置４０の設置個所の位置情報を示す位置Ｈ１を含む領域のメッシュデータ（領域Ｄ［２４］）を少なくとも特定する。
【００４８】  図５の例において、遮蔽度合い決定部１８２は、遮蔽物開閉装置４０の設置個所の領域（Ｄ［２４］）と、その周囲の領域とを特定してもよい。例えば、遮蔽物開閉装置４０の設置位置が、複数の領域の中間に近い位置にある場合などにおいて、設置位置に近接する複数の領域を特定してもよい。
【００４９】    ＜Ｂ．データ構造＞
次に、遮蔽制御システム１で使用する各種のデータの構造について説明する。
【００５０】  図６は、指令送信サーバ１０に記憶される遮蔽度合い管理情報１５１のデータ構造を示す図である。図６を参照して、遮蔽度合い管理情報１５１は、ユーザ識別情報１５１Ａと、時刻１５１Ｂと、特定した領域１５１Ｃと、遮蔽度合い１５１Ｄとを含む。遮蔽度合い管理情報１５１の１件のレコードは、ユーザの施設において、各時刻の遮蔽度合いを決定するためにメッシュデータのどの領域を特定したかの履歴と、決定した遮蔽度合いの履歴とを示す。
【００５１】  ユーザ識別情報１５１Ａは、遮蔽物開閉装置４０が設置されるユーザの施設を識別するための情報である。
【００５２】  時刻１５１Ｂは、遮蔽物開閉装置４０による遮蔽の制御を行う時刻を示す。
特定した領域１５１Ｃは、遮蔽度合い決定部１８２が、天気情報配信サーバ２０から取得する気象データのメッシュデータから、ユーザの施設における遮蔽物開閉装置４０の遮蔽度合いを決定するために特定した各領域を示す。
【００５３】  遮蔽度合い１５１Ｄは、遮蔽度合い決定部１８２が決定した、各ユーザの施設における遮蔽物開閉装置４０の遮蔽度合いの履歴を示す。
【００５４】  図６は、指令送信サーバ１０の遮蔽度合い決定部１８２が、各領域の降雨の確率に基づいて、遮蔽物開閉装置４０の遮蔽度合いを決定するための閾値の設定を示す。
【００５５】  図６に示すように、遮蔽度合い決定部１８２は、例えば、メッシュデータから特定した各領域の降雨の確率の平均値、中央値その他の値を閾値と比較して、比較結果に応じて、遮蔽物開閉装置４０の遮蔽度合いを決定する。例えば、遮蔽度合い決定部１８２は、メッシュデータから特定した各領域の降雨の確率の平均値が、確率「０％」の場合は、遮蔽物開閉装置４０による遮蔽をしないよう、遮蔽率「０％」と決定し、覆い４１によって設備を覆わないようにする（開状態とする）。また、遮蔽度合い決定部１８２は、特定される各領域の降雨の確率の平均値が確率「５０％〜１００％」の場合は、遮蔽率「１００％」と決定し、覆い４１によって設備を覆うようにする（閉状態とする）。
【００５６】    ＜Ｃ．動作と画面例＞
図７から図９を参照して、遮蔽制御システム１を構成する各装置の動作を説明する。
図７は、指令送信サーバ１０が、特定された領域の天気情報と比較するための比較条件を示す図てある。例えば、指令送信サーバ１０は、特定された領域の天気情報において、雨量がＸミリ以上と示される場合は、遮蔽物開閉装置４０の覆い４１を閉じる（遮蔽度合い「１００％」）と決定し、雨量がＸミリ以下の場合は、覆い４１を開く（遮蔽度合い「０％」）と決定する。また、例えば、指令送信サーバ１０は、特定された領域の天気情報に、天候「曇り」と示される場合は、遮蔽物開閉装置４０の覆い４１を閉じる（遮蔽度合い「１００％」）と決定する。
【００５７】  図８は、指令送信サーバ１０が、ユーザの施設それぞれに設置される遮蔽物開閉装置４０の遮蔽度合いを決定し、決定した遮蔽度合いの情報を、各ユーザの遮蔽指令用管理パネル７０へ送信する処理を示すフローチャートである。指令送信サーバ１０は、図８に示す処理を、例えば、天気情報配信サーバ２０が気象データを配信する時間間隔に応じて実行する。
【００５８】  ステップＳ８０１において、指令送信サーバ１０は、各ユーザの遮蔽物開閉装置４０が設置される施設の位置情報を、各種装置から取得する。
【００５９】  ステップＳ８０３において、指令送信サーバ１０は、メッシュデータに含まれる各領域のうち、ユーザの施設の位置情報を含む領域を少なくとも特定し、特定した１または複数の領域の天気情報を取得する。
【００６０】  ステップＳ８０５において、指令送信サーバ１０は、ステップＳ８０３で特定した領域の天気情報と、閾値などの各種条件とを比較して、ユーザの施設における遮蔽物開閉装置４０の遮蔽度合いを決定する。指令送信サーバ１０は、過去に決定した遮蔽度合いと、ユーザの設定の履歴と、気象センサ装置５０の出力の履歴とに基づいて、ユーザの施設における遮蔽物開閉装置４０の遮蔽度合いの精度を向上させるよう遮蔽度合いを補正してもよい。
【００６１】  ステップＳ８０７において、指令送信サーバ１０は、ステップＳ８０５で決定した遮蔽度合いの情報を、ユーザの施設に設置される遮蔽指令用管理パネル７０へ送信する。
【００６２】  図９は、遮蔽指令用管理パネル７０が、指令送信サーバ１０から遮蔽度合いの情報を受信して、受信した情報に従って遮蔽物開閉装置４０の遮蔽を駆動させる処理を示すフローチャートである。
【００６３】  ステップＳ９０１において、遮蔽指令用管理パネル７０は、指令送信サーバ１０から受信する遮蔽度合いの情報を記憶部７５０に記憶させた遮蔽指令情報７５１を参照し、遮蔽物開閉装置４０の覆い４１を駆動制御する時刻および遮蔽度合いの情報を読み出す。
【００６４】  ステップＳ９０３において、遮蔽指令用管理パネル７０は、遮蔽物開閉装置４０の駆動制御を行う時間帯を、遮蔽時間設定７５２から読み出す（遮蔽物開閉装置４０の駆動制御を行う時間帯は、予め設定されているか、ユーザが設定可能であるとする）。
【００６５】  ステップＳ９０５において、遮蔽指令用管理パネル７０は、現在の時刻における遮蔽度合いの情報に従って、遮蔽物開閉装置４０に対し、覆い４１を開閉させるよう信号を送信する。
【００６６】  ステップＳ９０７において、遮蔽指令用管理パネル７０は、ユーザが遮蔽物開閉装置４０の覆い４１を開状態とするか閉状態とするかを手動で操作した場合に、ユーザの操作内容を指令送信サーバ１０へ送信する。
【００６７】  このように、遮蔽指令用管理パネル７０が受け付けたユーザの操作内容を指令送信サーバ１０へ送信することで、指令送信サーバ１０は、メッシュデータに基づいて、各ユーザの施設へ送信する遮蔽度合いの情報の精度を測定することができる。
【００６８】  ＜実施の形態２＞
図１０および図１１を参照して、実施の形態２の遮蔽制御システム２について説明する。
【００６９】  図１０は、実施の形態２の遮蔽制御システム２の構成を示す図である。
図１１は、実施の形態２の遮蔽指令用管理パネル７０の構成を示すブロック図である。
実施の形態１の遮蔽制御システム１では、指令送信サーバ１０が、天気情報に基づいて、遮蔽物開閉装置４０の覆い４１の遮蔽度合いを決定することとして説明している。実施の形態２の遮蔽制御システム２は、実施の形態１の指令送信サーバ１０の各処理を、遮蔽指令用管理パネル７０が行う。遮蔽指令用管理パネル７０は、予測天気情報配信サーバ２０から提供される気象データのメッシュデータを取得して、取得したメッシュデータに基づいて、遮蔽物の遮蔽度合いを決定する。
【００７０】  今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００７１】  １  遮蔽制御システム、１０  指令送信サーバ、２０  天気情報配信サーバ、３０  携帯端末、４０  遮蔽物開閉装置、５０  気象センサ装置、７０  遮蔽指令用管理パネル、８０  ネットワーク、８１  無線基地局、９０  ＧＰＳ衛星。
【図１】
2017170100.tif 000003
【図２】
2017170100.tif 000004
【図３】
2017170100.tif 000005
【図４】
2017170100.tif 000006
【図５】
2017170100.tif 000007
【図６】
2017170100.tif 000008
【図７】
2017170100.tif 000009
【図８】
2017170100.tif 000010
【図９】
2017170100.tif 000011
【図１０】
2017170100.tif 000012
【図１１】
2017170100.tif 000013